Podtech/llm-jp-corpus-v4-ja_patent huggingface dataset:
(57)【要約】      （修正有）【課題】三塩基酵素をアンチコドンとするアミノ酸が酵素活性をもつので、その利用をはかる。またこれらを栄養補助食品として健康の良好化をはかる。【解決手段】合成酵素（ヒスチジン）、転移酵素（リジン）、除去酵素（ヒスチジン）、異性化酵素（ヒスチジン）、酸化還元酵素（システイン＋鉄イオン）において、上記括弧内に示したアミノ酸化合物が、酵素国際分類種ごとに特異的酵素活性を発揮することが示された。例えば、乳酸脱水素酵素の反応ではシステインに鉄イオンを混ぜると活性が極めて高まることがわかった。アミノ酸はそのエステルでも同じ効果をもつ。【選択図】なし【特許請求の範囲】
【請求項１】
以下の括弧内にある（Ｓ００５の三塩基酵素をアンチコドンとする）アミノ酸が、各国際分類種ごとの酵素群の活性をもっていることを、生化学的触媒及び栄養補助食品（人間以外の生物も対象として含む）の分野に利用する。
合成酵素（ヒスチジン）
転移酵素（リジン）
除去酵素（ヒスチジン）
異性化酵素（ヒスチジン）
酸化還元酵素（システイン＋鉄イオン）
【発明の詳細な説明】
【発明の詳細な説明】
【技術分野】
【０００１】  生化学的触媒及び栄養補助食品
【背景技術】
【０００２】  アミノ酸のような基本的な生化学化合物に弱いとはいえ酵素活性があるとはこれ迄誰も考えていなかった。我々はＳ００３および００４でこれについて記載したが、今回、三塩基対応という全く新しい方法でさらに遥かに強い作用を持つアミノ酸を見い出した（表参照）。アミノ酸はそのエステルでも良い。
【発明が解決しようとする課題】
【０００３】  酵素を細胞から抽出するより上記化合物を使うほうが遥かに簡単であるからこの発明の属する技術分野での応用範囲が広い。
【課題を解決するための手段】
【０００４】  アミノ酸は既に市売されているので作成上の問題はない。
【発明を実施するための最良の形態】
【０００５】  上記化合物の酵素活性は現在の酵素の一ないし十万分の一だが、酵素はもともと触媒なので少量あるだけでも良いと言う利点がある。上記化合物は分解前も分解後も無害である。
【実施例】
【０００６】１）合成酵素についてはＡＴＰを用いてピルビン酸とカルボン酸からオキザル酢酸を合成するオキザロ酢酸合成反応活性をかんがえる。反応条件を（）内に書く（以下の実験でも同様）。（ＡＴＰ１０ｍＭ  ，ピルビン酸  １０ｍＭ，炭酸ナトリウム  １０ｍＭ，トリスｐＨ７。５  １００ｍＭ、ヒスチジン  １００ｍＭ）、１００μｌの溶液を摂氏３７度で１時間放置し反応をすすませる。その後でマロン酸ジヒドロゲナーゼを１０ユニットとＮＡＤＨ  ０。１２Ｍ  １０μｌを加え３４０ｎｍの吸収を測定するとリフェレンス（自然反応に相当）にくらベヒスチジンで５８０倍の吸収増加がみられた。更にオキザル酢酸の生成は反応溶液の薄層クロマトグラフィーでも確認できた。またアセチルＣｏＡ合成酵素やコハク酸合成酵素といった他の反応についても吸収実験でそれぞれ２９０および３００倍の効果があった。他のアミノ酸では（Ｓ００３、Ｓ００４でのアミノ酸を含め）これほど強い効果がなかった。【０００７】２）除去酵素ではオキザル酢酸をピルビン酸と二酸化炭素に分解するオキザル酢酸脱炭酸化酵素活性を調べる。（  ｐＨ６。８トリス  １００ｍＭ、オキザル酢酸１０ｍＭ、ヒスチジン１００ｍＭ  ）リフェレンスに比べ１４７０倍の効果が見られた。更に二酸化炭素の放出が観察された。他のアミノ酸では効果がなかった。またヒスチジンはアセチルアセトンをアセトンと酢酸に分解するアセチルセトン脱炭酸化酵素活性や２−ケト−３−デオキシオクトン酸をピルビン酸とリボースに解離する反応でリフェレンスに比べそれぞれ２９０倍および３００倍の効果があった。他のアミノ酸ではこれほど強い効果がなかった。【０００８】３）転移酵素についてはアラニンがケトグルタミン酸よりアミノ基を転移してグルタミン酸とピルビン酸になるアラニンアミノ転移反応を検出する。（アラニン１００ｍＭ，トリスＰＨ７．５  １００ｍＭ、ケトグルタール酸  ３０ｍＭ  、リジン  ２００ｍＭ）１００μｌ溶液を１時間摂氏３７度におきＮＡＤＰ１Ｍ，１μｌと酪酸ジヒドロゲナーゼ  １ユニットを加えて、ＮＡＤＰの還元にともなう３４０ｎｍの吸収の増加を測定する。１０分後にリフェレンスに比べリジンで１２０倍の増加を記録する．他のアミノ酸ではこれほど強い効果がなかった。【０００９】４）異性化酵素についてはグルコース６リン酸イソメラーゼ活性を検討した。Ｇ６Ｐの１００ｍＭ溶液４０μｌ、ＰＨ８のトリス１００ｍＭバッファー溶液５０μｌ、それに１Ｍのヒスチジン溶液１０μｌを加え摂氏６５度に１０分放置、氷上で冷却後ローの試薬（２５０ｍｌのチオウレアと１００ｍｇのレソルシノールを１００ｍｌの氷酢酸にとかした試薬の５０ｍｌに１０規定塩酸３５０ｍｌを加えたもの）４０μｌを加え摂氏８０度で１０分放置する。また氷上冷却後、スペクトロメーターで５０４ｎｍの吸収をはかる。Ｇ６Ｐの場合の１０分後の吸収増加はヒスチジンについてリフェレンスに比べ８００倍であった。他のアミノ酸ではこれほど強い効果がなかった。【００１０】５）酸化還元酵素についてはピルビン酸のＮＡＤＨとの反応により乳酸を
形成する乳酸脱水素酵素反応を調べた。ピルビン酸  １００ｍＭ，ＮＡＤＨ０．１２ｍＭ、燐酸５０ｍＭ、システイン  １００ｍＭ、三酸化鉄イオン  ０。２ｍＭ  ）３４０ｎｍの吸収を１０分後に測定すると、リフェレンスに比べ１００倍の減少を検出した。鉄イオンの効果は極めて大きい。またマロン酸デヒドロゲネース反応についても１６０倍強くなった。どちらでも他のアミノ酸はこれほど強い効果を持たなかった。【００１１】６）これまでにのべた５種の酵素群に関する実験は、すべてｉｎ  ｖｉｔｒｏ（試験管内）実験であった。ｉｎ  ｖｉｖｏ（細胞内）実験の一つとして遺伝子工学用に開発されたきわめて弱い大腸菌ＪＭ１０９のアミノ酸への反応をみるため、きわめて弱い大腸菌ＪＭ１０９培養液（トリプトン１６ｇ、酵母エクストラクト  １０ｇ、食塩５ｇを１ｌの水に溶かす）５０μｌに１Ｍ上記アミノ酸溶液１０μｌを加え、培養液アガロースゲルに塗布。摂氏３７度で培養、３日後の生育度をみると、アミノ酸濃厚溶液添加の影響はまったくみられなかった。
【発明の効果】
【００１２】人間の場合体内の酵素量は健康状態や加年劣化作用で変化しており、その補助としての上記化合物添加効果が期待される。また一般の生物の場合にも同様である。また酵素は当然対応する三塩基に付着するから、ＲＮＡからなるヴィールスの増加を防ぐ栄養補助食品としても期待できる。
(57)【要約】【課題】  これまでの、刈払機は、草などを刈る時、刈払機の取っ手を持つ手に刈払機本体が安定しづらかった。為に疲れやすく作業効率も落ちていた。【解決手段】  先述課題を解決の為に、刈払機本体１のエンジンカバー２の上部に肘当てを設うけた。刈払機本体１の柄３を持つ腕９の角度が丁度エンジンカバー２の上部にに設けた肘当て６に添合う為、持ちやすく、こうすると支持点数が増えた分だけ刈払機本体１の安定が、大きく向上した。【請求項１】刈払機本体１のエンジンカバー２の上部に肘当て６を設けたことを特徴とする刈払機エンジンカバー上部に肘当てを設けた刈払機。【特許請求の範囲】
【請求項１】
刈払機本体１のエンジンカバー２の上部に肘当て６を設けたことを特徴とする刈払機エンジンカバー上部に肘当てを設けた刈払機。
【発明の詳細な説明】
【技術の分野】
【０００１】  本発明は、刈払機の、肘当てに関する。
【背景技術】
【０００２】  従来の刈払機は、使用中に刈払機本体の安定を維持するのに苦労が有った。
その為に刈払機を肩に紐で掛けたり、取っ手にも色々な工夫がされてきたが、今ひとつ満足いかなかった。
【発明の開示】
【発明が解決しようとする課題】
【０００３】１，刈払機本体１の使用中の作業安定を良くする事は、仕事が楽なばかりか、作業安全にも繋がる重要課題である。
２，雨の日や汗をかいた時など、作業中に点火プラグコード９に腕１０が触れて感電してビックリすることが時々あった。
【課題を解決する為の手段】
【０００４】  上記課題を解決する為に、斜視図１、使用状況の斜視図３に示す如く、支持点数を増やす為として、エンジンカバー２の上部に肘当て６を柄３に対して適当な角度で設けた。そうすると、刈払機本体１の使用中の作業安定が、支持点数が増えた分だけ大きく向上した。
更に、肘当て６が点火プラグコード９と腕１０との隔たりを作り、ピリッと来る高圧電流の感電を遮断でき、絶縁を良くすることにも貢献した。
回転刃５を付け替える時は、斜視図２の様にひっくり返した状態で、止めネジ８を外して、行う方が付け替えやすいのだが、その時に、肘当て６がＵ字頂部７でスタンドにも成る為、刈払機本体１に傷を付けなくて済むし安定が良く、付け替え作業もし易い。
尚、１２は、燃料レバーで１３は燃料レバー１２に繋がる線で、１４は、燃料タンク。
１５は、ネジ穴で肘当て６を止めネジ８で止める為の穴。
１６は、通気口でエンジンの過熱を防止する。１７は、回転歯の５の留め具。
【発明の効果】
【０００５】  １，エンジンカバー２の上部に肘当て６を設けたことで、刈払機本体１を支持する点数が増え、刈払機本体１の作業安定が大きく向上した。
２，肘当て６で作業安定が良くなったので、右利きで使用していて、疲れたら左に持ち替えても十分作業が出来る。
３，エンジンカバー２の上部の熱をこれまで以上に遮断できる。
４，汗や雨降りの時の、点火プラグコード９よりピリッと来る高圧電流の感電を遮断でき安全である。
５，刃を替える時刈払機本体１をひっくり返した方が替え易いが、その時のスタンドになり安定良く本体に傷を付けない。
【発明を実施する為の最良の形態】
【０００６】  斜視図４の如く、肘当て６の腕１０との接触面に、吸湿緩衝材１１を付けるのも使用感を向上できる。
【産業上の利用可能性】
【０００７】  新しく製造する刈払機のみならず、従来既に使用の刈払機にも、本発明の肘当て６は付けることが可能である。従って相当量製造しても売れるものと思われる。
【図面の簡単な説明】
【０００９】  図１は、本発明を刈払機本体に設けた斜視図である。
図２は、刈払機の刃を付け替える時、本発明がスタンドに成っている状況斜視図である。
図３は、本発明を設けた刈払機の使用状況斜視図である。
図４は、本発明と腕との接触面に吸湿緩衝材を設けた斜視図である。
【符号の説明】
【０００１０】１は、刈払機本体
２は、エンジンカバー
３は、柄
４は、とっ手
５は、回転刃
６は、肘当て
７は、Ｕ字頂部
８は、止めネジ
９は、点火プラグコード
１０は、腕
１１は、吸湿緩衝材
１２は、燃料レバー
１３は、線
１４は、燃料タンク
１５は、ネジ穴
１６は、通気口
１７は、留め具
【図１】
2005102664.tif 000002
【図２】
2005102664.tif 000003
【図３】
2005102664.tif 000004
【図４】
2005102664.tif 000005
(57)【要約】【課題】従来の除塵装置はマイコンにより電子制御され、複雑で高価になり、比較的大型で高価なコンバインにしか搭載されていなかった。  本発明では、特にキャビン仕様のコンバインにおいて、簡単・安価な除塵装置を提供する。【解決手段】機体の右側に運転席を有するキャビンを設け、運転席の下方にエンジンルームを設け、エンジンルームの右側面には防塵網で覆った冷却風の吸気口を有するエンジンカバーを設けたコンバインにおいて、キャビンの右側に設けた乗降口を開閉するドアを設け、ドアの開閉操作によりエンジンカバー表面の防塵網を除塵する除塵装置を設けた。  また、ドアを前後方向スライド開閉自在に構成すると共に、除塵装置をドアの室内側下部に設けたブラシにより構成した。【選択図】図２
2005102654.tif 000002
【特許請求の範囲】
【請求項１】
機体の右側に運転席を有するキャビンを設け、運転席の下方にエンジンルームを設け、エンジンルームの右側面には防塵網で覆った冷却風の吸気口を有するエンジンカバーを設けたコンバインにおいて、キャビンの右側に設けた乗降口を開閉するドアを設け、ドアの開閉操作によりエンジンカバー表面の防塵網を除塵する除塵装置を設けたことを特徴とするコンバイン。
【請求項２】
ドアを前後方向スライド開閉自在に構成すると共に、除塵装置をドアの室内側下部に設けたブラシにより構成したことを特徴とする請求項１記載のコンバイン。
【発明の詳細な説明】
【技術分野】
【０００１】
本発明は、コンバインのエンジンカバー表面の除塵装置に関する。
【背景技術】
【０００２】
従来から、コンバインには冷却風の吸気口を有するエンジンカバー内に種々の除塵装置を備えていて、例えば、ラジエータを冷却するために外気を吸引する吸引ファンを逆転しているものがある（例えば、特許文献１参照。）。
【０００３】
【特許文献１】特開２００１−２６３０６３号公報（図２）
【発明の開示】
【発明が解決しようとする課題】
【０００４】
しかし、これら従来の除塵装置はマイコンにより電子制御され、複雑で高価になり、比較的大型で高価なコンバインにしか搭載されていなかった。
本発明では、特にキャビン仕様のコンバインにおいて、簡単・安価な除塵装置を提供する。
【課題を解決するための手段】
【０００５】
上記目的を達成するために本発明は、機体の右側に運転席を有するキャビンを設け、運転席の下方にエンジンルームを設け、エンジンルームの右側面には防塵網で覆った冷却風の吸気口を有するエンジンカバーを設けたコンバインにおいて、キャビンの右側に設けた乗降口を開閉するドアを設け、ドアの開閉操作によりエンジンカバー表面の防塵網を除塵する除塵装置を設けたことを特徴とする。
また、ドアを前後方向スライド開閉自在に構成すると共に、除塵装置をドアの室内側下部に設けたブラシにより構成したことを特徴とする。
【発明の効果】
【０００６】
本発明は上記構成により、ドアの開閉操作でエンジンカバー表面の防塵網を除塵できるので、オペレーターはコンバインへの乗降時にドアを開閉操作することにより特に意識することなく、タイミングよくエンジンカバー表面の防塵網を除塵することができる。
また、除塵装置として前後方向にスライドするドアの室内側下部にブラシを設けたことにより、最小限の構成でエンジンカバー表面の吸気口を除塵することができる。
【発明を実施するための最良の形態】
【０００７】
本発明の実施の形態を図１〜４に基づいて説明する。
図１はコンバイン全体斜視図であり、１はコンバインの機体であり、機体１の下部にはクローラ式の左右走行装置２、前部には昇降自在に装着された刈取部３、刈取部３の後方で機体１の左側には脱穀部、機体１右側には運転操作部を覆うキャビン４、キャビン４の後方下部にはエンジンルーム５、キャビン４の後方にはグレンタンク６、グレンタンク６の後方から機体１の左前方に向けて排出オーガ７が夫々設けられている。
【０００８】
図２はドア全開状態のキャビン右側面図、図３はドア全開状態のキャビン背面図、図４はドア内側面図であり、キャビン４の右側には前後方向にスライドして乗降口１１を開閉する透明ガラス一枚構成のドア１２を備えていて、上部はキャビン４側に設けたレール１３とドア側に設けたローラー１４、中間部はキャビン４側に設けたローラー１５とドア１２側に設けたレール１６、下部はキャビン４側に設けたレール１７とドア１２側に設けた伸縮レール１８先端のローラ１９によりそれぞれ係合している。
【０００９】
エンジンルーム５内にはエンジン冷却用のラジエータと吸引ファンを備え、エンジンルーム５の右側面にはエンジンカバー２１を備え、エンジンカバー２１の機体外側に設けた冷却風の吸気口を防塵網２２で覆っている。ドア１２の下部後方側はエンジンカバー２１を避けるように切欠部３２があり、ドア１２の室内側で切欠部３２前方にはブラシ（除塵装置）３３が縦方向に設けてある。ブラシ３３はドア１２とエンジンカバー２１が側面視でラップした時に、ブラシ３３の先端がエンジンカバー２１の防塵網２２表面に充分届くように長さが設定されている。
ブラシ３３の位置は掃きとり範囲を大きくするためにも、エンジンカバー２１に対応する高さでできるだけドア１２の後方に設けるのが好ましい。
【００１０】
よって、例えば収穫作業中にグレンタンク６が満杯になったとき等、オペレーターがコンバインから降りる際にドア１２を開けることにより、収穫作業中にエンジンカバー２１の防塵網２２についた塵埃を、ドア１２に設けられたブラシ３３が後方にスライドして掃きとるので、特に意識することなくエンジンカバー２１表面の防塵網２２を除塵することができ、掃きとられた塵埃はエンジンカバー２１とドア１２間の空間３４から機外に落下する。また、ドア１２を閉める際にも同様の作用を有するものである。
【図面の簡単な説明】
【００１１】
【図１】コンバイン全体斜視図である。
【図２】ドア全開状態のキャビン右側面図である。
【図３】ドア全開状態のキャビン背面図である。
【図４】ドア内側面図である。
【符号の説明】
【００１２】
１    機体
４    キャビン
５    エンジンルーム
１１  乗降口
１２  ドア
２１  エンジンカバー
２２  防塵網
３３  ブラシ（除塵装置）
【図１】
2005102654.tif 000003
【図２】
2005102654.tif 000004
【図３】
2005102654.tif 000005
【図４】
2005102654.tif 000006
(57)【要約】【課題】  従来の木製ルアーの製作方法では、不自由を強いられてきた内部空間の加工方法を改め、設計の自由度、加工工程の簡易性、加工精度、この三点を高めるようにする。【解決手段】  木製ルアーを製作する際、三枚の板材を重ねた状態から外形を削り出すことで、自由に三分割出来る構造を採用する。内部加工を行う際は図４、図５の様に左右のパーツＢ、Ｃを外した状態で作業を行うことで、作業の簡易性及び設計の自由度を高める事が可能である。又、パーツＢ，Ｃの厚みが同じであれば、パーツＡに加工した内部空間は、自動的に中心線を外さないため、加工精度も上げる事が可能である。【選択図】  図４
2005102677.tif 000002
【特許請求の範囲】
【請求項１】
木製ルアーの機能性およびデザインの自由度を従来の製品より向上させ、これにともない複雑かつ精密化する内部空間の加工工程を容易かつ正確に行うため、木製ルアーの本体を、真上から見て縦に３分割可能なサンドイッチの断面状の構造にする。
【発明の詳細な説明】
【発明の詳細な説明】
【技術分野】
【０００１】  本発明は、釣具の一種であるルアー、中でも木材を原料とする木製ルアーに関する製作方法である。従来の製作方法では不自由であった木製ルアー内部の加工方法を改め、加工作業を容易にする事で、設計の自由度及び、加工精度を高めることが出来るようにしたものである。
【背景技術】
【０００２】  従来、木製ルアーに用いられる製作方法は大別すると次の二種類になる。１つ目は１本の材木を旋盤等で外形を削り出した後、外部より穴あけ等の加工を行い、内部にウェイト（重り）等の部品を組み込む製作方法である。２つ目はいわゆるモナカ割り、と呼ばれている製作方法である。この製作方法は、２枚の板材を合わせた状態で外形を削り出す事で、縦に２分割可能な構造を基本としている。分離した左右パーツの接合面に切削加工を施し後、内部部品を組み込み、左右パーツを接着して仕上げる製作方法である。
従来の製作方法の参考文献としては、株式会社▲■▼出版発行の“ハンドメイドルアーの世界”がある。
【発明の開示】
【発明が解決しようとする課題】
【０００３】  現在市販されているルアーは、様々な目的のために複雑な内部構造を有する物が主流である。木製ルアーにおいては、前記した製作方法で製作されるためにこの流れに対応出来ていない製品が大半である。例えば重心移動システムとゆう機能がある。この機能はルアーを泳がせる時と、ルアーを投げる時とでは異なる重心の理想位置を、その時々に応じて変化させる大変便利な機能である。この機能は、ルアー内部を金属製のウェイトが移動することにより成立するのだが、当然ルアー内部にウェイトが移動する空間が無いと、この機能を組み込むことが出来ない。前記した１つ目の製作法で、この様な機能を組み込んだルアーを製作する事は不可能に近い。２つ目の製作方法であれば、製作する事は可能ではある。しかし、左右のパーツに正確で対称な切削加工を施すためには高い工作技術が必要不可欠である。その上、接着面が本体中央に位置する構造のため、接着時の左右パーツの微妙なずれや、接着材の内部空間へのはみだしが発生した場合、組み込んだ機能が十分に機能しないとゆう課題が根本的に解決できないままであった。
多機能で高性能な木製ルアーを製作するために、従来の製作方法が抱える課題をまとめると、内部に正確な空間を自由に設ける事が難しいとゆう事になる。
【課題を解決するための手段】
【０００４】  課題を解決するために、木製ルアーを真上から見て縦に三分割する構造を採用した製作法を発明しました。この製作法を簡単に説明します。はじめに、作りたいルアーを製作するのに適当と思われる木板三枚を、サンドイッチの様に重ねます。注意点としては、このとき外側になる２枚の板は同じ厚みであることです。次に、図１、図２、図３の様な外形を削り出します。内部の加工を行うため図４、図５の様に左右のパーツＢとＣを中心パーツＡより分離します。パーツＡに対してボール盤、ルーター等を用い、図６、図７の様に目的に応じた切削加工を施した後、図８の様にウェイト等の部品を組み込み、図９、図１０の様に左右のパーツＢとＣをパーツＡに取り付け接着して完了です。この後、塗装工程を経て完成となります。
【発明の効果】
【０００５】  この製作方法では内部加工をする際、左右のパーツＢ，Ｃを外した状態でパーツＡに切削加工を行えるため、加工作業が容易になり、設計の自由度を格段に上げる事が可能である。又、図１１の様に、パーツＢ、Ｃの厚みが同じであればパーツＡに施した内部空間は、自動的にルアーの中心を外さないとゆう特性も備えているため、加工精度を上げる事が可能である。また、モナカ割り製作方法で課題にした、接着時のパーツのずれが発生した場合も、内部空間の形状に影響を与えることは無く、また接着材の内部へのはみ出しが発生した場合でも中心から外れるため問題になりにくい。
この製作方法を用いることで、現在の主流であるプラスチック製ルアーに匹敵する内部構造を持つ木製ルアーを、容易に製作する事が可能となる。
【図面の簡単な説明】
【図１】外形の削り出し工程終了後のルアー本体の平面図である。
【図２】外形の削り出し工程終了後のルアー本体の左側面図である。
【図３】外形の削り出し工程終了後のルアー本体の正面図である。
【図４】三分割した状態のルアー本体の平面図である。
【図５】三分割した状態のルアー本体の正面図である。
【図６】ルアー内部の空間を設けるため、切削加工を施したパーツＡの左側面図である。
【図７】図６Ｇ〜Ｈ間のパーツＡの断面図である。
【図８】部品を組み込んだ状態のパーツＡの左側面図である。
【図９】図８のパーツＡに、パーツＢ、Ｃを接着し、完成したルアーの左側面図である。
【図１０】図８のパーツＡに、パーツＢ、Ｃを接着し、完成したルアーの正面図である。
【図１１】図９Ｏ〜Ｐ間のルアーの断面図である。
【符号の説明】
Ａ  ルアーの中心パーツ材
Ｂ  ルアーの左パーツ材
Ｃ  ルアーの右パーツ材
Ｄ  ウェイトホール
Ｅ  ウェイトホール
Ｆ  重心移動用のウェイトレール
Ｉ  ウェイト
Ｊ  ウェイト
Ｋ  ウェイト
Ｌ  ラインアイ用ヒートン
Ｍ  フロントフックハンガー用ヒートン
Ｎ  リアフックハンガー用ヒートン
【図１】
2005102677.tif 000003
【図２】
2005102677.tif 000004
【図３】
2005102677.tif 000005
【図４】
2005102677.tif 000006
【図５】
2005102677.tif 000007
【図６】
2005102677.tif 000008
【図７】
2005102677.tif 000009
【図８】
2005102677.tif 000010
【図９】
2005102677.tif 000011
【図１０】
2005102677.tif 000012
【図１１】
2005102677.tif 000013
(57)【要約】【課題】  ヌカ味噌漬の良好醗酵臭を得たい。これを容易に持続させたい。以上の応用による、良好な醗酵臭の利用をなしてみる。【解決手段】  山形、宮城あたりで青菜と称されるものには、辛子油の成分が多い。この変香は、単独では異臭因となるが、変香したものを食品に少量加えることによって醗酵臭乃ち風味の馴化を行える。【選択図】なし【特許請求の範囲】
【請求項１】
漬床もしくは漬物に、その作成時点より古く得られた蔬菜漬等辛子成分の変化した物質を含む食品を、加えることによる食品。
【請求項２】
食品に、それ等の作成時点より古く作られた漬物等辛子成分の変化した物質を含む食品を、加えることによる食品。
【発明の詳細な説明】
【技術分野】
【０００１】  本発明は、漬込み母料もしくは漬物等食品の改質方法に関する。
【背景技術】
【０００２】  従来の改質方法には、促成もしくは補強にフレーバーや有用微生物を加えたものがある。
【発明の開示】
【発明が解決しようとする課題】
【０００３】  従来の改質方法では、機能の保持性という点において、困難であった。【０００４】  本発明は、このような従来の構成が有していた問題を解決しようとするものであり、漬込み母料や漬物等食品による改質方法を実現することを目的とするものである。
【課題を解決するための手段】
【０００５】  本発明は、主食材を食させるための漬床もしくは漬物等食品の改質のため、漬床もしくは漬物等の食品の調整時より古い蔬菜のなるべくは蒸煮調理や、加熱殺菌されていない加工品を加える。【０００６】  上記の課題解決手段による作用は次の通りである。漬床及び漬物等食品のフレーバー改質及びその変化を防止することができる。
【発明の効果】
【０００７】  ヌカみその利点としては洗わずに食べられる衛生性。自家製ヌカみそ漬を簡略化し抗酸化力、風味を損なわずに食べられる。漬床状にした調味の安価なもので、重石不要で周辺から万遍なく調味される。さまざまな調味が容易で、ヌカの有効性を常用できる。【０００８】  また、一回使い切りのヌカ量提供とその経時使用の時間調節が容易である。かき回さなくても毎日使えば十分だし、変質したら新しいものを便利に使える。【０００９】  発明によるものは、有効微生物及び醸成物が含有されており、持続性あるヌカ臭へのマスク性の成分が含まれているので、風味がよい。【００１０】  上述したように本発明によれば、青菜の辛味成分は辛子成分と同様と思われるが、材料由来の醗酵副産物のフレーバーが生ヌカ等、母料素材のフレーバーをマスクし、漬物的な柔らかな風味を与え、バター香を感じさせた。更に持続性は、着香の比ではない。【００１１】  ヌカの効用を思うとき、他の調味に混入してみるとこの効果は大である。また、始めから漬床がなれた風味になっていることは、手間を掛けずにヌカみそやその他の食品に利用できることになる。
【発明を実施するための最良の形態】
【００１２】  以下、本発明の実施の形態を実施例に基づいて説明する。
【実施例】
【００１３】  一般的なヌカみそ漬の漬床や新しいヌカみそ漬に、高菜のべっ甲色に変わった即ち、辛子成分の変更が進んだ古漬を、刻み脱塩して加えた。また古い胡瓜漬を高菜の代わりに用いたが、この結果は分からなかった。小松菜・大根・山形青菜でも効果があった。【００１４】  一般の醤油漬、みそ漬残漬類で試した。いずれも、漬物香の持続に官能的効果があった。【００１５】  古漬を調味料や食品に用いる例は既に有るが、調味料中に辛子油の強いアブラナ科の蔬菜の変香した材料を入れて、不快なフレーバーをマスキングする例はない。ヌカをみそ汁や他の食品、調味料に混ぜることをやりやすくした。【００１６】  以上の例では、特にヌカみそ母料では、新ヌカ臭消去に５％以下の青菜の古漬で効果を認めた。ヌカ臭以外の異臭でもたとえば豆腐粕等で改質される。また味覚の馴化を生ずる。【００１７】  ９０℃程度の殺菌では、使用時の醗酵臭発生でも、青菜等の古漬を入れない母料や食品より早く風味を生ずる。このことは、大根等乾燥品を用いても微弱にその傾向がある。【００１８】  実施例を通して、一般に用いられる食品への応用なので、配合処方を挙げなかった。
(57)【要約】      （修正有）【課題】安価な原料であるとうもろこしを用いた新種の餡の提供。【解決手段】とうもろこしの実を水に浸漬し、吸水させてから煮るか又は蒸す。副原料として砂糖、コーンスターチ、水飴等を加える。既存の製餡機を使用して小豆餡と同じ製法で製造できる。【効果】とうもろこし餡を用いて製パン業、洋菓子業、和菓子業等で新商品を生産できる。【選択図】なし【特許請求の範囲】
【請求項１】
とうもろこしの実（種）で造るつぶあん（餡）
【請求項２】
とうもろこしの実（種）で造るこしあん（餡）
【発明の詳細な説明】
【技術分野】
【０００１】本発明はとうもろこしの実（種）を使い新種のあん（餡）を作ることである。
【背景技術】
【０００２】
【発明の開示】
【発明が解決しようとする課題】
【０００３】従来有る、あん（餡）の種類が増える。
【課題を解決するための手段】
【０００４】とうもろこしの実（種）で造るつぶあん、こしあん。
【発明の効果】
【０００５】パン、洋菓子、和菓子の分野に商品を産み出すことができる。
【発明を実施するための最良の形態】
【０００６】製あん（餡）の状態で包装
【実施例】
【０００７】充てん密封包装、缶詰めにする
【産業上の利用可能性】
【０００８】原料のとうもろこしは安く輸入できるため、低コストですでにある製あんの機械ですぐに製造できる。
2005102676.tif 000002
【手続補正書】
【提出日】平成16年2月23日(2004.2.23)
【手続補正１】
【補正対象書類名】明細書
【補正対象項目名】全文
【補正方法】変更
【補正の内容】
【発明の詳細な説明】
【技術分野】
【０００１】          本発明はとうもろこしの実（種）を使い新種のあん（餡）を造ることである。
【背景技術】
【０００２】
【発明の開示】
【発明が解決しようとする課題】
【０００３】          従来有る、あん（餡）の種類が増える。
【課題を解決するための手段】
【０００４】          とうもろこしの実（種）で造るつぶあん、こしあん
【発明の効果】
【０００５】          パン、洋菓子、和菓子の分野に新商品を生み出すことができる。
【発明を実施するための最良の形態】
【０００６】          製あん（餡）の状態で包装
【実施例】
【０００７】          充てん密封包装、缶詰めにする
【産業上の利用可能性】
【０００８】          原料のとうもろこしは安く輸入できるため低コストで、すでにある製あんの機械ですぐに製造できる。
【図面の簡単な説明】
【０００９】
【図１】          とうもろこしの実（種）から、あん（餡）になるまでの工程である。
【手続補正２】
【補正対象書類名】図面
【補正対象項目名】全図
【補正方法】変更
【補正の内容】
【図１】
2005102676.tif 000003
(57)【要約】【課題】  折り畳み作業を容易迅速に行うことが出来る、防鳥ネットや保護シートなどの防護掛けを提供する。【解決手段】  防護掛け１は、これを２分する線４上の適宜位置に所要数の持手を列設する。【選択図】  図１
2005102673.tif 000002
【特許請求の範囲】
【請求項１】
防護掛け面上の適宜位置に所要数の持手を列設することを特徴とする防護掛け。
【発明の詳細な説明】
【発明の詳細な説明】
【技術分野】
【０００１】  本発明は、防鳥ネットや養生シートなど、防護掛けに関する。
【背景技術】
【０００２】  従来、防護掛けのネットやシートを折り畳む時、両側の対称面を合わせながら折り畳んでいた。
【発明が解決しようとする課題】
【０００３】  ところが、一人での上記折り畳み作業は防護掛けの両側を往復移動しながら対称面を合せ折り畳まなければならず、大変な労力と時間を費やし、非常に面倒であった。
【０００４】  本発明は斯かる事情に鑑みてなされたもので、従来の前記問題を一挙に解決することが出来る防護掛けを提供することを目的とする。
【課題を解決する為の手段】
【０００５】  前記目的を達成する為、本発明は防護掛け面上に折り畳み時の折曲位置と両側端部に持手を取り付けることを特徴とする。
【０００６】  この特徴によれば、防護掛けを広げた状態で、２分する線上の両端点とその間を等間隔に分割した分割点をそれぞれ中心とし、この２分する線上に垂直方向に持手の２点を対称位置に固着している。折り畳む時は、持手を一方向から交互に左右の手に２分して把持し、左右に引き合うことにより瞬時に折り畳まれ、作業を容易迅速に行うことが出来、時間と労力の無駄を除く。
【０００７】  尚、本発明に於いて「防護掛け」とは、平状のネットやシートであって、防鳥ネットや養生シートは勿論のこと、飛散防止用ネット及びシート、防火シート、防音シート、幕も含まれる。
【発明を実施するための最良の形態】
【０００８】  本発明の実施の形態を、添付図面に例示した本発明の実施例に基づいて以下に具体的に説明する。【０００９】  添付図面の防護掛けはネット材で説明しているが、シート材も同様である。【００１０】  添付図面に於いて、図１は本発明の一実施例に係る防護掛け１を広げた状態の斜視図である。これは防護掛け１を２分する線４上の両端に持手２ａ，２ｃが、更に２ａ，２ｃ間を等間隔に持手３ａ，２ｂ，３ｂの各両端がそれぞれ２分する線４を対称軸とした位置に固着されている。【００１１】  図２は防護掛け１を防鳥ネットとして生ゴミのカラス対策として使用している状態の斜視図である。持手２ａ，２ｂ，２ｃを一方の手に、もう一方の手に３ａ，３ｂを把持し、互いに引き合うと瞬時に折り畳まれる。【００１２】  図３は防護掛け１の折り畳まれる過程を示す斜視図であり、図４は折り畳まれた防護掛け１を収納スタンド５に収納した状態を示す斜視図である。この収納スタンドに懸吊することにより、常に整頓された状態に保持出来る。【００１３】  図５は図３のＡ−Ａ矢視図であり、持手２ｃを持ち上げた時、防護掛け１を２分する線４は下方に折曲する。【００１４】  図６〜図９は図３のＡ−Ａ矢視部に当る位置より見た他例の断面図である。【００１５】  図６は、防護掛け１の２分線４上に持手２ｃの一方のみを固着したものであるが、この場合、防護掛け１を折り畳んだ状態の高さが高くなる。又、この２分線４の位置にロープを介在させ、ロープで持手部に突状部を作り持手としても良い（図示せず）。更に防護掛け１の持手位置を手繰りよせ突状部を作り持手としても良い。（図示せず）【００１６】  図７は面積の広い防護掛けを折り畳んだ時の高さを低くする為の一例を示す断面図である。これは２分線４を対称軸として２列に持手を列設している。【００１７】  図８は図７の持手２ｃ，４ｃを収納スタンド５に懸吊する時の持手２ｃ，４ｃの状態を示す断面図である。【００１８】  図９は防鳥ネットの他の一例を示す斜視図で、収納ケース６に防鳥ネット１の一方を掛着し、他方は地面に広げた状態の斜視図である。これは図２の如く従来通りの使用が出来、収納時は完全に収納ケース６に収納される。【００１９】  図１０は防鳥ネット１の立体形の一例を示す斜視図である。この防鳥ネット１の一端は収納ケース６に掛着し、他方は支持脚７に掛着している。この場合の左右の垂直面は繋着されている。又、上面に生ゴミ投入口が取り付けられている為、かがまなくても立った状態で生ゴミを投入出来る。【００２０】  図１１は図９、図１０の防鳥ネット１を収納ケース６に収納した状態を示す斜視図である。この収納ケースを色々な形にすることにより環境の美化や、地域地区の象徴さを表現出来る。又、通気口を設けると防鳥ネットの蒸れも防止できる。
【発明の効果】
【００２１】  以上のように本発明の防護掛けは、２分線を対称軸として列設する持手の各２点を対称位置に固定している。この持手を一方向から順に互い違いに２分して把持し、引き合うことにより瞬時に折り畳まれる。これにより一人での折り畳み作業も面倒さもなく容易迅速に行うことが出来る。尚、持手２ａ，２ｂ，２ｃと３ａ，３ｂを色分けすると２分し易い。
【図面の簡単な説明】
【００２２】
【図１】本発明の一実施例に係る持手を装着した防護掛けの一例を示す斜視図
【図２】前記防護掛けを防鳥ネットとして使用した状態の斜視図
【図３】防護掛けの折り畳み過程を示す斜視図
【図４】防護掛けを折り畳み、収納スタンドに懸吊した状態を示す斜視図
【図５】図３のＡ−Ａ矢視図
【図６】図３のＡ−Ａ矢視部に当る位置の他例の断面図
【図７】図３のＡ−Ａ矢視部に当る位置の他例の断面図
【図８】図７の持手を収納スタンドに懸吊する時の状態を示す断面図
【図９】防鳥ネットと収納ケースを示す斜視図
【図１０】防鳥ネットの立体形を示す斜視図
【図１１】図９、図１０の防鳥ネットを収納ケースに収納した時の斜視図
【符号の説明】
１  ．．．．．防護掛け
２ａ．．．．．持手
２ｂ．．．．．持手
２ｃ．．．．．持手
３ａ．．．．．持手
３ｂ．．．．．持手
４ｃ．．．．．持手
４  ．．．．．２分線
５  ．．．．．収納スタンド
６  ．．．．．収納ケース
７  ．．．．．支持脚
【図１】
2005102673.tif 000003
【図２】
2005102673.tif 000004
【図３】
2005102673.tif 000005
【図４】
2005102673.tif 000006
【図５】
2005102673.tif 000007
【図６】
2005102673.tif 000008
【図７】
2005102673.tif 000009
【図８】
2005102673.tif 000010
【図９】
2005102673.tif 000011
【図１０】
2005102673.tif 000012
【図１１】
2005102673.tif 000013
(57)【要約】【課題】  電子カルテ時代になっても医師の業務負担が大きく、電子カルテの普及が遅れている現状である。医師の負担を軽減することが、医療の質を上げることに直結することになる。この負担軽減が現実の課題である。【解決手段】医療情報の診察時における採取は医師一人で行うのでなく、医療スタッフを参加させることで医師の負担を軽減させることができる。外来受付において、医療情報を集め、コンピューターを用いて文書化したものを電子カルテに入力するシステムをつくりあげる。【特許請求の範囲】
【請求項１】
本発明は、医師診察補助としてのツールシステムで、メディカルスタッフによる情報をコンピューターを用いて文書化し、電子カルテ内に入力させるシステムである。
【発明の詳細な説明】
【技術分野】
【０００１】
本発明は、医療の分野で医師の診察業務負担を軽減して、医療の質の向上と業務のスピード化に寄与する物である。
【背景技術】
【０００２】
電子カルテ時代になっても医師の診察における負担はカルテに電子カルテに入力する負担が大きい。さらに診察における問診時間に時間がかかると次の患者の診察時間に負担がかかってくる。これら時間がかかる要因が医師の負担になり、診療に大きな支障がでている。
【発明の開示】
【発明が解決しようとする課題】
【０００３】
医師が負担に感じるのは診察時の問診と入力である。入力は電子カルテの場合、医師が入力するのである。複雑な症状を訴える患者の愁訴を聞き出す問診にも時間がかかる。この両方の負担軽減のため、受け付けで予診の問診表が用意されるのだが、電子カルテの場合、問診表はテンプレート方式である。電子カルテのカルテ表記画面には追加入力の際には通常のワープロ文章が望ましい。真正性のために受け付けで情報を取ったスタッフの識別が必要になる。  
【課題を解決するための手段】
【０００４】
受付でスタッフが患者に各疾患に用意された問診表を渡し、テンプレート上の情報を選択してもらい問診表を完成させる。テンプレートに表現された医療情報をスキャンで読み取り、コンピューターで文書化を行う。テンプレートの数字を読み取り文書化するのと、数字を書く必要のある空欄に書かれた数字は手書きの数字になるが、手書き数字を自動読みとりして文書化する。
【実施例１】
【０００５】
『めまい問診』  私の一番きつい症状はめまいです。今回のめまいは□月□日□時頃に出現した。めまいは「１．体がぐるぐる  ２．体がふわふわ」するめまいで□分位続いた。頭を動かすと「」１．増悪する２．増悪しない」  食事は「１．とれ２．とれなかっ」た。めまいと同時に「１．耳鳴り２．難聴３．耳閉感」があった。
(57)【要約】      （修正有）【課題】年齢を増したり、講演の場から少し離れた所では音声が聞こえにくくなったりするが、それを少しでも良く聞こえるように補うこと。【解決手段】集音器の前方を削除し、開口部とし、ヘッドアームにとりつける。【選択図】図１
2005275329.tif 000002
【特許請求の範囲】
【請求項１】
集音器（カップ）（３）（３Ａ）の前方に当たる部分を切り取り、開口（８）（８Ａ）に加工したものをヘッドアーム（２）にそれぞれを取り付けた耳集音器。
【請求項２】
ヘッドアーム（２）に集音器（カップ）（３）（３Ａ）をボルト（１０）（１０Ａ）で接続する事で集音器（カップ）（３）（３Ａ）の角度を調整可能とした耳集音器。
【発明の詳細な説明】
【発明の詳細な説明】
【発明が属する技術分野】
【０００１】耳の難聴の方とか、離れたところから聞こえが悪い方の補助的な耳集音器に関する物である。
【背景技術】
【０００２】  一般的に補聴器を使用されていますが、補聴器を使用されていない人でも、年々年齢うぃ増す事に聞こえが悪くなる、又講演とか話し合いの場所では、近くにいる場合は比較的よくきこえますが、講演者から離れるにつれて聞き取れにくいものであります、このような時、ご自分の手の平を受け皿（勺）の様に丸めて耳を覆うようなことをします、また補聴器を使って、ボリュウム上げて聞くこともありますが雑音が多くなり問題が多い。
【発明が解決しようとする課題】
【０００３】年齢を増すことにだんだんと悪くなるものであり、又話合いの場、講演の場所などで、少し離れた所では聞こえが悪いものを少しでも補うと言うものである。従来は手の平を受け皿（勺）の様に丸めて耳を覆うようなことをしました、この様なことを完全な形で補うと言うものである。
【課題を解決するための手段】
【０００４】一般に市販されているヘッドホンを想定して下さい、ヘッドホンのスピーカの部分を取り外して、そこに樹脂製の集音器（カップ）（３）（３Ａ）を取り付ける、集音器（カップ）（３）（３Ａ）の前方に当たる部分を、図２のように切り取り（８）（８Ａ）にします。この様なカップを使う事で解決するための手段とする。
【発明を実施するための最良の形態】
【０００５】  バッテリも使わずして、集音（補聴）を良くするものである、ヘッドアーム（２）に集音器（カップ）（３）（３Ａ）をボルト（１０）（１０Ａ）で接続して蝶ナット（５）（５Ａ）で締め付ける、音の受け入れ口を集音器（カップ）（３）（３Ａ）の前方の部分になるところを切り取り、開口（８）（８Ａ）とする。【０００６】集音器（カップ）（８）（８Ａ）を使用の際に集音器（カップ）（３）（３Ａ）そのものだと肌に直接接すると肌が傷付きやすくなるので、肌に接する部分にスポンジ（９）（９Ａ）を巻き付ける。
【発明の効果】
【０００７】以上の様に本発明は、集音器（カップ）（３）（３Ａ）を使用することで音を逃がさないカップの中にプールするのでソフトな感じで聞こえる効果がある、講演者から少し離れて聞かれていても確実に集音効果があります。
【図面の簡単な説明】
【図１】耳の集音器を使用した断面図。
【図２】集音器（カップ）のみ  左右の斜視図。
【符号の説明】
１    頭
２    ヘッドアーム
３    集音器（カップ）左
３Ａ  集音器（カップ）右
４    耳      左
４Ａ  耳      右
５    蝶ナット  左
５Ａ  蝶ナット  右
６    顔
７    集音器（カップ）取り付け穴  左
７Ａ  集音器（カップ）取り付け穴  右
８、  開口      左
８Ａ、開口      右
９、  スポンジ  左
９Ａ、スポンジ  右
１０  ヘッドアームと集音器（カップ）取り付けボルト    左
１０Ａ  ヘッドアームと集音器（カップ）取り付けボルト  右
【図１】
2005275329.tif 000003
【図２】
2005275329.tif 000004
(57)【要約】【課題】  弁体で開閉される弁口に異物が堆積しない温度応動弁を提供する。【解決手段】  入口１と出口２を有する本体３に蓋４をねじ結合して内部に弁室５を有する弁ケーシングを形成し、弁室５と出口２の間に弁室５と出口２を連通する弁口８を設け、弁口８を貫通して弁軸１２を配置し、弁口８を出口２側から開閉する弁体１３を弁軸１２に一体に設け、弁室５内の弁軸１２の周りに感温部材としてのバイメタル積層体１６を配置し、弁体１３に連結部１４を設け、弁体１３の連結部１４に連結・解除可能な回転部材１７を本体３にねじ結合し、回転部材１７の回転により弁体１３を回転させて弁口８に付着する異物を弁体１３で掻き落とす。【選択図】      図１
2005201355.tif 000002
【特許請求の範囲】
【請求項１】
弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉するものにおいて、弁体の弁口とは反対側に連結部を設け、弁体の連結部に連結・解除可能な回転部材を弁ケーシングにねじ結合し、回転部材の回転により弁体を回転させて弁口に付着する異物を弁体で掻き落とすことを特徴とする温度応動弁。
【発明の詳細な説明】
【技術分野】
【０００１】
本発明は、被制御流体で加熱冷却され、その温度に応じて変形する感温部材により弁口を開閉する温度応動弁に関する。本発明の温度応動弁は所定温度以上あるいは以下の流体を系外に排出したり、複数の流体を混合して所定温度の流体にしたりする場合に用いられ、特に所定温度以下の復水を自動的に排出する温調トラップとして用いる場合に好適なものである。
【背景技術】
【０００２】
従来の温度応動弁は、弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉するものである。
【０００３】
上記従来の温度応動弁においては、弁体が離着座して開閉する弁口のシール面に流体中のゴミやスケール等の異物が付着すると、弁体が弁口を完全シールする全閉位置に変位できず、弁口に次第に異物が堆積して弁口が次第に狭められて排出流量の減少、ひいては弁口が詰まってしまうという問題点があった。
【特許文献１】特公昭６１−１２１５９号公報
【発明の開示】
【発明が解決しようとする課題】
【０００４】
解決しようとする課題は、弁口に異物が堆積しない温度応動弁を提供することである。
【課題を解決するための手段】
【０００５】
本発明は、弁ケーシングで入口と弁室と出口を形成し、弁室と出口の間に弁室と出口を連通する弁口を設け、弁口を貫通して弁軸を配置し、弁口を出口側から開閉する弁体を弁軸に一体に設け、弁室内の弁軸の周りに感温部材を配置し、感温部材の変形作用で弁軸を軸方向に変位させて弁体で弁口を開閉する温度応動弁において、弁体の弁口とは反対側に連結部を設け、弁体の連結部に連結・解除可能な回転部材を弁ケーシングにねじ結合し、回転部材の回転により弁体を回転させて弁口に付着する異物を弁体で掻き落とすことを特徴とする。
【発明の効果】
【０００６】
本発明は、弁口に付着する異物を弁体で掻き落とすことにより、弁体で開閉される弁口に異物が堆積しないので、排出流量の減少や弁口が詰まってしまうことがないという優れた効果を生じる。
【発明を実施するための最良の形態】
【０００７】
本発明の温度応動弁は、弁体の弁口とは反対側に連結部を設け、弁体の連結部に連結・解除可能な回転部材を弁ケーシングにねじ結合し、回転部材の回転により弁体を回転させて弁口に付着する異物を弁体で掻き落とすものである。すなわち、回転部材を回転させて弁体を回転させることにより、弁口に付着する異物を弁体で掻き落とすものである。そのため、弁体で開閉される弁口に異物が堆積しない。
【実施例１】
【０００８】
上記の技術的手段の具体例を示す実施例を説明する（図１参照）。入口１と出口２を有する本体３に蓋４を締結して内部に弁室５を有する弁ケーシングを形成する。弁室５には入口１が通孔６を通して連通し、出口２が通孔７と弁口８と通孔９を通して連通する。通孔７と弁口８は本体３にねじ結合した弁座部材１０に形成する。弁室５内に入口１から流入する流体の流れ方向を規制し、流体中の異物を捕捉するスクリーン１１を配置する。弁口８を貫通して弁軸１２を配置する。弁軸１２の下端には弁口８を出口２側から開閉する円錐状の弁体１３を一体に設ける。弁体１３の下端に雄ねじから成る連結部１４を設ける。
【０００９】
弁室５内の弁軸１２の周りで、弁棒１２の上部にねじ結合した座金１５の下端面と弁座部材１０の上端面の間に感温部材としてのバイメタル積層体１６を配置する。バイメタル積層体１６はバイメタルディスクを湾曲方向を変えて組み合わせた２枚で一対とし、それを複数対重ねたものである。本体３の下端に弁体１３に対面して回転部材１７をＯリング１８を介して進退調節可能にねじ結合する。回転部材１７の弁体１３側端である上端に、弁体１３の連結部１４に連結・解除可能な雌ねじから成る連結部１９を設ける。弁体１３の連結部１４に雌ねじを設け、回転部材１７の連結部１９に雄ねじを設けてもよい。また、弁体１３の連結部１４と回転部材１７の連結部１９の一方に突起を設け、この突起に連結する弾性部材を弁体１３の連結部１４と回転部材１７の連結部１９の他方に設けて連結してもよい。
【００１０】
流体は入口１から通孔６を通って弁室５に入り、バイメタル積層体１６の周りを流れ、通孔７と弁口８から通孔９を通って出口２に流出する。バイメタル積層体１６は周囲の流体の温度が上昇して高温に加熱されると、各バイメタルディスクが湾曲してその度合が大きくなり積層方向に伸張する。これに伴い、弁軸１２が上方に変位し、次第に弁体１３が弁口８に近づいて弁口８の開度が小さくなり、終わりには弁体１３が弁口８を閉じる。弁室５の流体の温度が低下すれば、バイメタル積層体１６は湾曲力が小さくなり積層方向に収縮する。これに伴い、弁軸１２が下方に変位し、弁体１３が弁口８から離れて弁口８が開けられ、弁室５の流体が出口２に排出される。
【００１１】
回転部材１７をねじ込んで連結部１９を弁体１３の連結部１４に連結し、更に回転部材１７を本体１にねじ込みながら弁体１３を回転させることにより、弁口８に付着した異物を掻き落とす。回転部材１７を所定以上ねじ込んだときに回転部材１７と本体３とのねじ結合が解除されるようにすると、回転部材１７で弁体１３を弁口８方向に大きな力で押え付けながら弁体１３を回転させることができ、弁口８に付着した異物を確実に掻き落とすことができる。
【図面の簡単な説明】
【００１２】
【図１】本発明の温度応動弁の断面図。
【符号の説明】
【００１３】
１  入口
２  出口
３  本体
４  蓋
５  弁室
８  弁口
１０  弁座部材
１２  弁軸
１３  弁体
１４  連結部
１６  バイメタル積層体
１７  回転部材
１９  連結部
【図１】
2005201355.tif 000003